(57)【要約】【課題】保持解除釦の操作のみで携帯用小型機器本体の押し出し動作と接続端子の離脱を同時にでき、非常に使いやすい機器が得られる。【解決手段】小型機器本体１の装着保持装置本体２に対する装着保持状態を保持するロック片５ａと、その装着保持状態から保持を解除し取り外し可能状態とする保持解除釦４と、保持解除釦４の操作に連動してロック片５ａをスライドする連動手段５と、装着状態の小型機器本体１を常に押し上げるように付勢された押し上げ片１０と、保持解除釦４によりロック片５ａが解除された際に小型機器本体１を接続端子９の離脱方向に押し出す押し出し部材とを備え、小型機器本体１の装着保持状態において、保持解除釦４の操作によってロック片５ａを解除することにより、小型機器本体１は保持状態から押し上げられると共に接続端子９から離脱されるように構成した。【選択図】　図６
2004055321.tif 000002
【特許請求の範囲】
【請求項１】
携帯用小型機器本体を装着保持して少なくとも当該機器本体に有する充電電池に充電ができる接続端子を有する装着保持装置であって、
前記小型機器本体の装着保持装置本体に対する装着保持状態を保持するロック片と、その小型機器本体の装着保持状態から保持を解除し取り外し可能状態とする保持解除釦と、該保持解除釦の操作に連動して前記ロック片をスライドする連動手段と、装着状態の小型機器本体を常に押し上げるように付勢された押し上げ片と、前記保持解除釦により前記ロック片が解除された際に前記小型機器本体を前記接続端子の離脱方向に押し出す押し出し部材とを備え、
前記小型機器本体の装着保持状態において、保持解除釦の操作によってロック片を解除することにより、前記小型機器本体は保持状態から押し上げられると共に接続端子から離脱されるように構成したことを特徴とする携帯用小型機器の装着保持装置。
【請求項２】
前記接続端子は、充電用の接続端子の他に、データの送受信用の接続端子を有することを特徴とする請求項１記載の携帯用小型機器の装着保持装置。
【請求項３】
前記押し出し部材は、前記小型機器本体の非装着保持状態においては押し出されており、前記接続端子の端子先端部を保護する端子カバーを兼ねるように構成したことを特徴とする請求項２記載の携帯用小型機器の装着保持装置。
【発明の詳細な説明】
【０００１】
【発明の属する技術分野】
本発明は、ミニディスクプレーヤやメモリープレーヤ等の携帯用小型機器本体を装着して充電やデータの送受信ができる装着保持装置に関するものである。
【０００２】
【従来の技術】
図８は、従来のこの種の装着保持装置７０の一例を示す断面図である。図８において、７１は携帯用小型機器の例としてのミニディスクプレーヤ本体、７２は装着保持装置７０の上ケース、７３は装着保持装置７０の底ケース、７４は装着保持装置７０のプリント配線基板７５にハンダ付け実装されている接続端子、７６はミニディスクプレーヤ本体７１に内蔵されている端子受け、７７はミニディスクプレーヤ本体７１に取付けられた端子受け７６を実装しているプリント配線基板である。ここで、ミニディスクプレーヤ本体７１は、装着保持装置７０に形成した装着凹部７０ａに挿入保持されるようになっており、その際、接続端子７４の先端部７４ａが端子受け７６と接続されるような対応関係に構成されている。
【０００３】
次に、そのような構成における作用について説明する。ミニディスクプレーヤ本体７１を充電等の為に装着保持装置本体７０に挿入させると、ミニディスクプレーヤ本体７１は装着保持装置７０に形成した装着凹部７０ａにガイドされながら位置規制されて挿入される。そして、ミニディスクプレーヤ本体７１に取付けられた端子受け７６が、着保持装置本体７０内のプリント配線基板７５に実装された接続端子４接続される。ここで、上下方向はミニディスクプレーヤ本体７１の自重と接続端子７４のばね力がつりあい、接触圧力が確保される。
【０００４】
【発明が解決しようとする課題】
このような装着保持装置では、携帯用小型機器本体を持ち上げて出し入れしなければならないし、接続端子類がむき出しになっているため埃等で汚れた端子類の清掃が必要になり、その装着時における振動等の外力に対しては弱く接続の安定性に欠ける。
【０００５】
本発明は、このような従来の課題に鑑み、その携帯用小型機器本体の装着保持を安定して確実に行うと共に、着脱の操作性に優れた装着保持装置を提供することを目的としてなされたものである。
【０００６】
【課題を解決するための手段】
この課題を解決するために本発明の装着保持装置は、携帯用小型機器本体を装着保持して少なくとも当該機器本体に有する充電電池に充電ができる接続端子を有する装着保持装置であって、前記小型機器本体の装着保持装置本体に対する装着保持状態を保持するロック片と、その小型機器本体の装着保持状態から保持を解除し取り外し可能状態とする保持解除釦と、該保持解除釦の操作に連動して前記ロック片をスライドする連動手段と、装着状態の小型機器本体を常に押し上げるように付勢された押し上げ片と、前記保持解除釦により前記ロック片が解除された際に前記小型機器本体を前記接続端子の離脱方向に押し出す押し出し部材とを備え、前記小型機器本体の装着保持状態において、保持解除釦の操作によってロック片を解除することにより、前記小型機器本体は保持状態から押し上げられると共に接続端子から離脱されるように構成したものである。
【０００７】
これにより、保持解除釦の操作のみで携帯用小型機器本体の押し出し動作と、当該携帯用小型機器本体と装着装置本体との接続端子の離脱を同時にでき、非常に使いやすい機器が得られる。
【０００８】
また、請求項２に記載の発明のは、前記接続端子は、充電用の接続端子の他に、データの送受信用の接続端子を有するものであり、装着保持装置は携帯用小型機器本体とのデータの送受信を可能とする。
【０００９】
また、請求項３に記載の発明のは、前記押し出し部材は、前記小型機器本体の非装着保持状態においては押し出されており、前記接続端子の端子先端部を保護する端子カバーを兼ねるように構成したものであり、前記小型機器本体の非装着保持状態においては接続端子をカバーして埃等による汚れを防止できることとなる。
【００１０】
【発明の実施の形態】
以下に本発明の実施の形態について、図１から図６を用いて説明する。
【００１１】
（実施の形態１）
図１は本発明の一実施形態における装着保持装置に携帯用小型機器本体を装着した状態の外観図を示し、（ａ）図はその側面図、（ｂ）図は同平面図、図２は同装着保持装置の主要部品の配置を示す平面図、図３は同装着保持装置の分解斜視図、図４は同装着保持装置の装着保持状態を示す断面図、図５は同装着保持装置の接続端子の接続状態を示す断面図、図６は同保持解除動作後の押し上げ片と押し出し部材が作用した状態の断面図、図７は同充電用端子部の断面図を示し、（ａ）図は装着保持状態の断面図、（ｂ）図は保持解除状態の断面図である。
【００１２】
図１から図６において、１はミニディスクプレーヤ等の携帯用小型機器本体であり、装着保持装置２の装着部３に装着保持されるようになっている。装着保持装置２は、装着保持装置上キャビ２ａと装着保持装置底キャビ２ｂとにより構成されている。４は保持解除釦であり、後述するような構成により装着保持装置２に保持された携帯用小型機器本体１の着脱時に操作して取り外し可能とするものである。５はスライドレバーであり、先端に機器本体１を保持するロック用爪を形成したロック片５ａを一体に構成している。６は押し出し部材、７は保持部８に設けられた充電用端子、９はデータの送受信用接続端子、１０は押し上げ片であり、これらは装着保持装置２の装着部３に配置構成されている。１１はスライドレバー５等を装着保持装置上キャビ２ａに保持する保持部材であり、ビスにより適宜装着保持装置上キャビ２ａに固定されるものである。１２は装着保持装置底キャビ２ｂに取り付けられたプリント配線基板であり、充電用端子７及び接続端子９が所定回路に接続されている。
【００１３】
スライドレバー５は、保持部材１１に保持されてスライド可能であり、先端に構成したロック片５ａに形成したロック用爪により機器本体１に形成される保持用孔部１ａを保持し、その後端には保持解除釦４の操作を伝達する回動レバー４ａが配置されており、このレバー５はばね５ｂにより常に矢印イ方向、すなわちロック片５ａにより携帯用小型機器本体１を保持する方向に付勢されている。
【００１４】
押し出し部材６は、保持部８を構成する保持部材８ａを装着保持装置上キャビ２ａにビスにより取り付けることにより、保持部６ａが移動可能に保持されており、ばね６ｂにより常時矢印ロ方向、すなわち装着された携帯用小型機器本体１を押し出す方向に付勢されている。また、押し出し部材６は、携帯用小型機器本体１を装着していない状態では、接続端子９の保護カバーを兼ねている。
【００１５】
押し上げ片１０は、保持部材１１に形成した収納凹部１１ａにその軸部１０ａが配置され、ばね１０ｂにより常時矢印ハ方向、すなわち押し上げ片１０により携帯用小型機器本体１を押し上げる方向に付勢されている。
【００１６】
携帯用小型機器本体１は、保持用孔部１ａの他、内蔵されたプリント配線基板１ｂに実装された端子１ｃに接続端子９を接続させるための挿入用孔１ｄを構成している。（図５及び図６参照）
充電用端子７を設けた保持部８は、保持部材８ａに構成され、この保持部材８ａは装着保持装置上キャビ２ａに取り付けられており、その保持部８は、接続端子９に対して接続される端子１ｃ及び挿入用孔１ｄと共に、携帯用小型機器本体１を装着保持装置２に装着保持する際の係合を行うものである。そのために、携帯用小型機器本体１には、充電用端子７に接続される端子１ｅをプリント配線基板１ｂに実装すると共に、保持部８を挿入可能な保持孔１ｆを形成しており、この保持孔１ｆに保持部８が係合される構成となっている。（図７参照）
以上のように構成された装着保持装置について、以下その動作について説明する。
【００１７】
まず、充電やデータの受け渡しを目的とし、携帯用小型機器本体１を装着保持装置２の装着部３に装着する。その際、機器本体１は、充電用端子７及び接続端子９が挿入されるように、押し出し部材６をその付勢力に抗してスライドさせながら、且つ、機器本体１を上から押し上げ片１０の押し上げる方向の付勢力に抗して押し下げ、保持孔１ｆが保持部８に係合され、かつ、充電用端子７が端子１ｅに接続されると共に接続端子９が端子１ｃに接続され、ロック片５ａの爪が保持用孔部１ａに係合された時点で、機器本体１は装着保持装置２に保持される。この状態で充電やデータの送受信が行われる。
【００１８】
次に、機器本体１の取り出し動作では、保持解除釦４を押すと、装着保持装置上ケース２に回転自在に取付けられた回動レバー４ａを介して、スライドレバー５を矢印イ方向の付勢力に抗して操作し、その先端のロック片５ａを移動させることにより、この時、機器本体１の保持用孔部１ａを係合しているロック片５ａの爪が移動してその係合が外れる。この外れると同時に、ばね１０ｂにより押し上げ方向に付勢された押し上げ片１０が機器本体１を押し上げ、この動作と同時にばね６ｂで押し出し方向に付勢された押し出し部材６が機器本体１を押し出すことになる。その押し上げ及び押し出された状態が、図１（ａ）に仮想線で示す状態であり、この状態では、機器本体１は何らの障りもなく取り出すことができる。
【００１９】
ここで、押し出し部材６は、装着保持装置２のプリント配線基板１２に実装されている接続端子９の先端部分をカバーする位置まで移動するようにストッパーが設けられている。
【００２０】
【発明の効果】
以上のように本発明によれば、携帯用小型機器本体を装着保持して少なくとも当該機器本体に有する充電電池に充電ができる接続端子を有する装着保持装置であって、前記小型機器本体の装着保持装置本体に対する装着保持状態を保持するロック片と、その小型機器本体の装着保持状態から保持を解除し取り外し可能状態とする保持解除釦と、該保持解除釦の操作に連動して前記ロック片をスライドする連動手段と、装着状態の小型機器本体を常に押し上げるように付勢された押し上げ片と、前記保持解除釦により前記ロック片が解除された際に前記小型機器本体を前記接続端子の離脱方向に押し出す押し出し部材とを備え、前記小型機器本体の装着保持状態において、保持解除釦の操作によってロック片を解除することにより、前記小型機器本体は保持状態から押し上げられると共に接続端子から離脱されるように構成したものであり、保持解除釦の操作のみで携帯用小型機器本体の押し出し動作と、当該携帯用小型機器本体と装着装置本体との接続端子の離脱を同時にでき、非常に使いやすい機器が得られる。
【００２１】
また、押し出し部材を、前記小型機器本体の非装着保持状態において押し出されて、前記接続端子の端子先端部を保護する端子カバーを兼ねるように構成したことにより、前記小型機器本体の非装着保持状態においては接続端子をカバーして埃等による汚れを防止できるという有利な効果が得られる。
【００２２】
【図面の簡単な説明】
【図１】本発明の一実施形態における装着保持装置に携帯用小型機器本体を装着した状態の外観図を示し、
（ａ）図はその側面図
（ｂ）図は同平面図
【図２】同装着保持装置の主要部品の配置を示す平面図
【図３】同装着保持装置の分解斜視図
【図４】同装着保持装置の装着保持状態を示す断面図
【図５】同装着保持装置の接続端子の接続状態を示す断面図
【図６】同保持解除動作後の押し上げ片と押し出し部材が作用した状態の断面図
【図７】同充電用端子部の断面図を示し、
（ａ）図は装着保持状態の断面図
（ｂ）図は保持解除状態の断面図
【図８】従来の装着保持装置の実施例を示す断面図
【符号の説明】
１　携帯用小型機器本体
２　装着保持装置
２ａ　装着保持装置上キャビ
２ｂ　装着保持装置底キャビ
３　装着部
４　保持解除釦
５　スライドレバー
５ｂ　ばね
６　押し出し部材
６ｂ　ばね
７　充電用端子
８　充電端子保持部
８ａ　端子カバー押さえ
９　接続端子
１０　押し上げ片
１０ｂ　ばね
１１　保持部材
１２　プリント配線基板
【図１】
2004055321.tif 000003
【図２】
2004055321.tif 000004
【図３】
2004055321.tif 000005
【図４】
2004055321.tif 000006
【図５】
2004055321.tif 000007
【図６】
2004055321.tif 000008
【図７】
2004055321.tif 000009
【図８】
2004055321.tif 000010